(57)【要約】【課題】確実に航空機等を防護できるとともに、迅速かつ簡易な機動展開性を有する仮設防護壁を提供する。【解決手段】仮設防護壁は、基台２と、前記基台１から立設される一対の支柱２と、前記一対の支柱上部にそれぞれ設けられるワイヤ吊手段３（７）と、前記ワイヤ吊手段３に吊支持され、鉛直下方向に延設されるワイヤ４と、両端がそれぞれ一対のワイヤ４上に連なって結び付けられる複数の壁構成部材５と、を備え、前記複数の壁構成部材５が上下方向に配置されてルーバー形状を形成している。【選択図】図１
2019203279.tif 000002
【特許請求の範囲】
【請求項１】
基台と、
前記基台から立設される一対の支柱と、
前記一対の支柱上部にそれぞれ設けられるワイヤ吊手段と、
前記ワイヤ吊手段に吊支持され、鉛直下方向に延設されるワイヤと、
両端がそれぞれ一対のワイヤ上に連なって結び付けられる複数の壁構成部材と、
を備え、
前記複数の壁構成部材が上下方向に配置されてルーバー形状を形成している
ことを特徴とする仮設防護壁。
【請求項２】
前記ワイヤ吊手段は、ワイヤ巻取機能またはワイヤ巻取補助機能を有する
ことを特徴とする請求項１記載の仮設防護壁。
【請求項３】
前記基台は箱型であり、
前記壁構成部材は、箱内に収納可能である
ことを特徴とする請求項１または２記載の仮設防護壁。
【請求項４】
前記壁構成部材を側面から支持する壁構成部材支持補助手段
を更に備える
ことを特徴とする請求項１〜３いずれか記載の仮設防護壁。
【請求項５】
前記壁構成部材は、前記支柱に沿って摺動可能なガイドローラを有する
ことを特徴とする請求項１〜４いずれか記載の仮設防護壁。
【請求項６】
前記壁構成部材は、断面山型状である
ことを特徴とする請求項１〜５いずれか記載の仮設防護壁。
【請求項７】
前記山型状の頂部には風抜き孔が設けられている
ことを特徴とする請求項６記載の仮設防護壁。
【請求項８】
前記支柱はヒンジを介して回動可能に前記基台に連結されている
ことを特徴とする請求項１〜７いずれか記載の仮設防護壁。
【請求項９】
基台と、
前記基台から立設される一対の支柱と、
前記一対の支柱上部にそれぞれ設けられるワイヤ吊手段と、
前記ワイヤ吊手段に吊支持され、鉛直下方向に延設されるワイヤと、
両端がそれぞれ一対のワイヤ上に連なって結び付けられる複数の壁構成部材と、
を備え、
前記複数の壁構成部材が上下方向に配置されてルーバー形状を形成し、
前記ワイヤ吊手段は、ワイヤ巻取機能またはワイヤ巻取補助機能を有し、
前記基台は箱型であり、前記壁構成部材は、箱内に収容可能である
仮設防護壁の構築方法であって、
前記壁構成部材はワイヤに結ばれた状態で箱状基台内に収納されており、
基台に支柱を立設し、
支柱にワイヤ巻取機能またはワイヤ巻取補助機能を有するワイヤ吊手段を取付け、
ワイヤを吊りながら、ワイヤ端部を把持して、ワイヤを巻取り、
複数の壁構成部材を上下方向に配置する
ことを特徴とする仮設防護壁の構築方法。
【請求項１０】
基台と、
前記基台から立設される一対の支柱と、
前記一対の支柱上部にそれぞれ設けられるワイヤ吊手段と、
前記ワイヤ吊手段に吊支持され、鉛直下方向に延設されるワイヤと、
両端がそれぞれ一対のワイヤ上に結び付けられる壁構成部材を含む複数の壁構成部材と、
を備え、
前記複数の壁構成部材が上下方向に、
爆風による破片および銃弾が通過不可なように、かつ、爆風の一部が壁構成部材の隙間を通過可能なように
配置されている
ことを特徴とする仮設防護壁。
【発明の詳細な説明】
【技術分野】
【０００１】
本発明は、仮設防護壁およびその構築方法に関する。
【背景技術】
【０００２】
道路工事等において仮設防護壁を構築する。コンクリート製の基礎に支柱を立設し、支柱に壁構造を支持させるのが一般的である（例えば特許文献１）。
【０００３】
一方で、本発明は航空機等に対する外的要因(天候要因及び作為的要因)による被害を極限まで軽減することを目的としている。なお、航空機等とは、航空機及び戦車等の大型車両等並びに海外におけるＰＫＯ活動の宿営施設を含む。
【０００４】
航空機等の大型装備品は高額かつ可燃性物質を保有する可能性から一般的には格納庫や倉庫等において保管する場合が多い。しかしながら、通常の運用する場所以外において展開する場合等において（つまり移動先）、保管する施設を早急に装備することは困難である。
【０００５】
航空機等の大型装備品は展開場所においても外的要因による被害を受ける可能性もあり、迅速かつ簡易的に航空機等の大型装備品を外的要因からの被害を軽減する必要がある。
【０００６】
このように航空機等は移動を伴うため、航空機等用の仮設防護壁は、迅速かつ簡易な機動展開性を有することが重要である。
【先行技術文献】
【特許文献】
【０００７】
【特許文献１】特開2013-185357号公報
【発明の概要】
【発明が解決しようとする課題】
【０００８】
一方で、航空機等用の仮設防護壁は、強度も重要となる。一般的に、強度を要求すると、本設構造物に近い構造が必要となる。構造が大型・重量化するに伴い、移動展開するために、多くの時間と作業員並びに専用の大型重機が必要になる。その結果、迅速かつ簡易な機動展開性が得られない。
【０００９】
本発明は上記課題を解決するものであり、確実に航空機等を防護できるとともに、迅速かつ簡易な機動展開性を有する仮設防護壁およびその構築方法に係る技術を提供する。
【課題を解決するための手段】
【００１０】
上記課題を解決する本発明は、仮設防護壁である。仮設防護壁は、基台と、前記基台から立設される一対の支柱と、前記一対の支柱上部にそれぞれ設けられるワイヤ吊手段と、前記ワイヤ吊手段に吊支持され、鉛直下方向に延設されるワイヤと、両端がそれぞれ一対のワイヤ上に連なって結び付けられる複数の壁構成部材と、を備える。前記複数の壁構成部材が上下方向に配置されてルーバー形状を形成している。
【００１１】
ワイヤ吊手段による吊構造により迅速かつ簡易な機動展開性を有する。ルーバー形状により高い耐風性・耐爆性・防弾性等を有する。その結果、確実に航空機等を防護できる。
【００１２】
好ましくは、前記ワイヤ吊手段は、ワイヤ巻取機能またはワイヤ巻取補助機能を有する。
【００１３】
ワイヤ巻取により、壁構成部材は持ち上げられ、所定位置に配置される。
【００１４】
好ましくは、前記基台は箱型であり、前記壁構成部材は、箱内に収納可能である。
【００１５】
これにより、機動展開性を有する。
【００１６】
好ましくは、前記壁構成部材を側面から支持する壁構成部材支持補助手段を更に備える。
【００１７】
これにより、安定性が向上する。
【００１８】
好ましくは、前記壁構成部材は、前記支柱に沿って摺動可能なガイドローラを有する。
【００１９】
これにより、より迅速に仮設防護壁を構築できる。
【００２０】
好ましくは、前記壁構成部材は、断面山型状である。
【００２１】
断面山型状が上下に連設されることにより、ルーバー形状が形成できる。なお、断面逆山型状（Ｖ字状）であってもよい。同様な効果が期待できる。
【００２２】
好ましくは、前記山型状の頂部には風抜き孔が設けられている。
【００２３】
これにより、耐風性・耐爆性が向上する。
【００２４】
好ましくは、前記支柱はヒンジを介して回動可能に前記基台に連結されている。
【００２５】
これにより、迅速性が向上する。
【００２６】
上記課題を解決する本発明は、仮設防護壁の構築方法である。仮設防護壁は、基台と、前記基台から立設される一対の支柱と、前記一対の支柱上部にそれぞれ設けられるワイヤ吊手段と、前記ワイヤ吊手段に吊支持され、鉛直下方向に延設されるワイヤと、両端がそれぞれ一対のワイヤ上に連なって結び付けられる複数の壁構成部材と、を備える。前記複数の壁構成部材が上下方向に配置されてルーバー形状を形成している。前記ワイヤ吊手段は、ワイヤ巻取機能またはワイヤ巻取補助機能を有する。前記基台は箱型であり、前記壁構成部材は、箱内に収容可能である。前記壁構成部材はワイヤに結ばれた状態で箱状基台内に収納されている。
【００２７】
基台に支柱を立設し、支柱にワイヤ巻取機能またはワイヤ巻取補助機能を有するワイヤ吊手段を取付け、ワイヤを吊りながら、ワイヤ端部を把持して、ワイヤを巻取り、複数の壁構成部材を上下方向に配置する。
【００２８】
ワイヤ吊手段による吊構造により迅速かつ簡易な機動展開性を有する。
【００２９】
上記課題を解決する本発明は、仮設防護壁である。仮設防護壁は、基台と、前記基台から立設される一対の支柱と、前記一対の支柱上部にそれぞれ設けられるワイヤ吊手段と、前記ワイヤ吊手段に吊支持され、鉛直下方向に延設されるワイヤと、両端がそれぞれ一対のワイヤ上に結び付けられる壁構成部材を含む複数の壁構成部材と、を備える。前記複数の壁構成部材が上下方向に、爆風による破片および銃弾が通過不可なように配置されている。
【００３０】
好ましくは、前記複数の壁構成部材は、爆風の一部が壁構成部材の隙間を通過可能なように配置されている。
【発明の効果】
【００３１】
本発明にかかる仮設防護壁は、確実に航空機等を防護できるとともに、迅速かつ簡易な機動展開性を有する。
【図面の簡単な説明】
【００３２】
【図１】仮設防護壁外観構成図
【図２】仮設防護壁構築方法説明図
【図３】仮設防護壁使用例
【図４】仮設防護壁使用例
【図５】構成詳細図（支持補助構造およびガイドローラ）
【図６】構成詳細図（支持補助構造およびガイドローラ）
【図７】構成詳細図（支持補助構造変形例）
【図８】構成詳細（壁構成部材）および機能説明図
【図９】構成詳細（支柱立設構造）および構築方法説明図
【図１０】構成詳細（支柱立設変形例）
【図１１】仮設防護壁構成図（変形例）
【図１２】仮設防護壁構成図（変形例）
【図１３】仮設防護壁構成図（吊構造変形例）
【発明を実施するための形態】
【００３３】
〜仮設防護壁構成概要〜
図１は仮設防護壁の外観構成図である。仮設防護壁は、基台１と、支柱２と、ワイヤ吊手段３（図示の例では滑車７）と、ワイヤ４と、壁構成部材５と、ウインチ６と、アウトリガ８とを備える。
【００３４】
基台１は、箱型であり、仮設防護壁構築前においては壁構成部材５等は箱内に収納可能である。また、仮設防護壁構築後においては箱内に水や砂を蓄積可能である。なお、水や砂が蓄積されると安定性が向上する。
【００３５】
箱は軽量性と強度を両立させるため、繊維強化プラスチック（FRP）により構成されることが好ましい。内側には防弾素材（後述）が貼られ防弾性を有する。大型輸送機やヘリコプタやクレーントラックによる輸送を想定して、箱の外寸は長手方向長さ６ｍ×短手方向長さ２ｍ×高さ１．８ｍ程度を想定する。
【００３６】
支柱２，２は一対であり、基台１から立設される。支柱２も繊維強化プラスチック（FRP）により構成されることが好ましい。支柱２の高さは４．２ｍ程度を想定する。図示の例では門型形状をしている。
【００３７】
ワイヤ吊手段３，３は、門型支柱２，２の水平部中央（支柱上部）にそれぞれ設けられる。図示の例では滑車７である。
【００３８】
ワイヤ４，４は滑車７を介して吊支持され、一方は、鉛直下方向に延設される。その端部は基台１に固定されている。他方は支柱２，２に沿って延設され、ウインチ６，６に巻き取られた状態で固定されている。
【００３９】
壁構成部材５は、両端がそれぞれ一対のワイヤ４，４に結び付けられて固定されている。複数（図示では７つ）の壁構成部材５が連なって上下方向に配置される。その結果、ルーバー形状が形成される。図示の例では、壁構成部材５は断面山型状である。
【００４０】
壁構成部材５は、防弾材料により構成される。防弾材料は例えば高分子量ポリエチレンやアラミド繊維である。
【００４１】
ウインチ６，６は、基台１側面両側に固定されており、ワイヤ４，４を巻き取った状態で保持する。
【００４２】
アウトリガ８は基台の四隅から張り出されて、アウトリガ８先端にはアンカが打たれている。
【００４３】
〜仮設防護壁構築〜
図２は、仮設防護壁を構築する方法を説明する図である。
【００４４】
ステップ（A）
壁構成部材５やワイヤ４やウインチ６は箱（基台１）の中に収納されている。支柱２は折り畳まれた状態で箱１の上面に配置されて、蓋がされている。アウトリガ８は折り畳まれた状態で箱１の側面に配置されている。
【００４５】
箱１は、輸送機やヘリコプタやクレーントラックにより設置個所に輸送される。箱１自体の重量は１トン程度、壁構成部材５等を収納した状態の箱１は４トン程度を想定する。重量４トン程度であれば、大型ヘリコプタやクレーントラックによる輸送が可能である。また、大型輸送機であれば、６〜８つの箱を一度に輸送できる。なお、複数の仮設防護壁が連設されることにより、小型航空機を防護することができる（詳細後述）。
【００４６】
箱１を所定箇所に設置する。
【００４７】
ステップ（B）
アウトリガ８を張り出してアンカを打つ。蓋を開く。支柱２頂部にワイヤを掛け支柱２を起こす。このとき、予め、滑車７にワイヤ４を掛けておく。
【００４８】
壁構成部材５は断面山型状である。箱内では、複数の壁構成部材５が積み重ねられている。各壁構成部材５はワイヤ４に連なって結び付けられている。
【００４９】
ステップ（C）
ワイヤ４の先端をウインチ６に把持させ、ウインチ６によりワイヤ４を巻き取る。ワイヤ４が巻き取られるに伴い、ワイヤ４に張力が働き、各壁構成部材５は持ち上げられる。
【００５０】
ステップ(D)
ワイヤ４が所定長巻き取られると、複数の壁構成部材５が上下方向に配置される。さらに、壁構成部材５を支柱２に固定する(詳細後述)。これにより、ルーバー形状が形成される。
【００５１】
アンカ張出を含めた仮設防護壁の外寸は幅６ｍ×奥行き６ｍ×高さ６ｍ程度を想定する。各ステップの所要時間は１０分未満とし、構築に係る所要時間は数十分(半時間)程度を想定する。
【００５２】
このように、ほとんど重機を用いず、ほぼ１〜２人の人力のみで、迅速かつ簡易に仮設防護壁を構築できる。すなわち、優れた機動展開性を有する。
【００５３】
なお、仮設防護壁構築後において箱１内に水や砂を蓄積して安定性を増してもよい。その際、アウトリガ８の張り出しは不要になる。
【００５４】
〜使用例〜
図３および図４は仮設防護壁の使用例を説明する図である。
【００５５】
複数の仮設防護壁が長手方向に連設される。例えば、４〜６つ仮設防護壁が長手方向に連設されると、長さ２４〜３６ｍ×高さ６ｍの大規模壁構造が形成される。これにより、小型航空機（たとえば戦闘機）側面全体を充分に覆うことができる。
【００５６】
例えば、ゲリラによる攻撃を受けた場合でも、銃弾から航空機等を防護する。
【００５７】
航空機等の近くに爆弾を仕掛けられた場合、爆風および破片から航空機等を防護する。仮に、一の航空機等が攻撃され破壊されたとしても、他の航空機等への被害を抑制する。
【００５８】
このように、確実に航空機等を防護できる。
【００５９】
〜支持補助構造およびガイドローラ〜
図５および図６は、支持補助構造およびガイドローラに係る構成詳細図である。
【００６０】
壁構成部材５は、ガイドローラ１６を有する。壁構成部材５にはパイプが設けられ、パイプにガイドローラ１６が設けられている。支柱２の一部が上下方向に開口しており、開口にパイプが挿入される。ガイドローラ１６は支柱２に沿って摺動可能である。
【００６１】
これにより、壁構成部材５は滑らかに持ち上げられる。すなわち、壁構成部材５端部が支柱２と干渉するような不具合がない。
【００６２】
図２の例では、ワイヤ４は支柱２外に配置されているが、支柱２内に配置されていてもよい。このとき、ワイヤ４とガイドローラ１６との接触を避けるため、ワイヤ保護用パイプ１８を支柱２内に設けてもよい。
【００６３】
壁構成部材５はワイヤ４を介して吊支持されている。さらに、壁構成部材支持補助手段１０により側面から支持されていてもよい。図示の例では、壁構成部材支持補助手段１０はヒンジ１１とＣ型部材１２とから構成される。
【００６４】
Ｃ型部材１２は支柱２の側面に配置されている(図示半透明で表示)。一方、壁構成部材５の端部にはフラット部５１が設けられている。
【００６５】
ワイヤ４巻き取りにより壁構成部材５が所定位置に配置されと、ヒンジ１１を介してＣ型部材１２を反転させる。Ｃ型部材１２にフラット部５１を挟持させる。これにより、壁構成部材５は四隅にて支柱２に固定され、安定性が向上する。なお、Ｃ型部材１２がフラット部５１の端面側に配置されていると、正面からの作業が可能となり、作業性が向上する。
【００６６】
図７は、支持補助構造およびガイドローラの変形例に係る構成詳細図である。
【００６７】
ガイドローラ１７はガイドローラ１６とほぼ同じであるが、壁構成部材５における取付箇所が異なる。
【００６８】
変形例において、壁構成部材支持補助手段１０はクリップ１３と挿入孔１４とから構成される。挿入孔１４は支柱２側面に設けられている。
【００６９】
ワイヤ４巻き取りにより壁構成部材５が所定位置に配置されと、クリップ１３を挿入孔１４に押し込み、さらにクリップ１３にフラット部５１を挟持させる(図示半透明で表示)。これにより、壁構成部材５は四隅にて支柱２に固定され、安定性が向上する。
【００７０】
〜断面山型状およびルーバー形状〜
壁構成部材５は断面山型状である。断面山型状が上下方向に連なって、ルーバー形状が形成される。
【００７１】
図８は、断面山型状およびルーバー形状に伴う機能を説明する図である。
【００７２】
壁構成部材５には、断面山型状頂部の稜線に沿って、複数の風抜き孔５２が設けられている(図８Ａ)。
【００７３】
下側の断面山型状と上側の断面山型状の間には流路が設けられている(図８Ｂ)。
【００７４】
これにより、爆風の一部が壁構成部材の隙間を通過する。このとき風向が変更され風速や風圧が軽減される。さらに、隙間を通過する爆風の一部は、風抜き孔５２より上方に抜ける。これによりさらに風速や風圧が軽減される。
【００７５】
また、下側の断面山型状頂部位置が上側の断面山型状麓部位置より高い位置にあるように壁構成部材５は配置される(図８Ｂ)。これにより、爆風による破片および銃弾が通過不可となる。
【００７６】
さらに、断面山型状の傾斜により、直線的に衝突する弾丸や飛散する破片の運動エネルギーを減衰させる避弾経始と同様な効果を奏する(図８Ｃ)。
【００７７】
以上のように、本願の仮設防護壁は高い耐風性・耐爆性・防弾性等を有する。その結果、確実に航空機等を防護できる。
【００７８】
〜支柱立設構造〜
図９は支柱立設構造および立設方法の説明図である。
【００７９】
仮設防護壁構築前においては支柱２は折り畳まれた状態で基台１の上面に配置されている。支柱２はヒンジ２１を介して回動可能に基台２に連結されている。
【００８０】
仮設防護壁構築中においては、支柱２をヒンジ２１周りに回動させ、支柱２を立設させる。係合孔２２に係合ピン２３を挿入し固定する。
【００８１】
仮設防護壁構築中においては、支柱２は、壁構成部材５等の自重を基台１に伝達する。これにより、爆風に対抗する。
【００８２】
図１０は支柱立設構造の変形例に係る構成詳細図である。
【００８３】
仮設防護壁構築前においては棒状の支柱２が横になった状態で基台１の上面に配置されている。基台１には棒受け２４が設けられている。棒状の支柱２を立て、棒受け２４に挿入する。
【００８４】
〜ルーバー形状変形例〜
図１１はルーバー形状の変形例を有する仮設防護壁の構成図である。上記実施形態においては、断面山型状の壁構成部材によりルーバー形状を形成するのに対し、図１１Ａでは、断面波型状によりルーバー形状を形成し、図１１Ｂでは、断面半円型状によりルーバー形状を形成する。また、断面逆山型状（Ｖ字状）、Ｕ字状であってもよい。
【００８５】
これにより、爆風による破片および銃弾が通過不可となるとともに、爆風の一部が壁構成部材の隙間を通過可能となる。
【００８６】
〜ルーバー形状以外の変形例〜
図１２はルーバー形状以外の変形例を有する仮設防護壁の構成図である。航空機の極近傍に防護壁を設置し爆風の一部も通過させたくない場合等に有効である。
【００８７】
図１２Ａでは、複数の壁構成部材５が折り畳まれて収納されている。最上部の壁構成部材５にはワイヤ４が結ばれている。ワイヤ４巻き取りにより、壁構成部材５が上下に蛇腹状に配置される。
【００８８】
図１２Ｂでは、複数の壁構成部材５が箱短手方向に整列して収納されている。隣り合う壁構成部材５はスライド可能である。中央の壁構成部材５にはワイヤ４が結ばれている。ワイヤ４巻き取りにより、壁構成部材５はスライドおよび係止して、断面階段状に配置される。
【００８９】
図１２Ｃでは、複数の壁構成部材５がロール状に巻かれた状態で収納されている。最上部の壁構成部材５にはワイヤ４が結ばれている。ワイヤ４巻き取りにより、壁構成部材５がすだれ状に配置される。
【００９０】
これにより、爆風による破片および銃弾が通過不可となる。
【００９１】
さらに、複数の壁構成部材５間にスリットを設けることにより、爆風の一部が壁構成部材の隙間を通過可能となるようにしてもよい。
【００９２】
〜吊構造の変形例〜
上記実施形態では、支柱２上部にワイヤ巻取補助機能として滑車７を設け、基台１にワイヤ巻取機能としてウインチ６を設けた。
【００９３】
これに対し、支柱２上部にワイヤ巻取機能として遠隔操作可能な電動ウインチを設けてもよい。これにより、より簡易な構成となる。
【００９４】
図１３は吊構造の変形例を有する仮設防護壁の構成図である。支柱２の頂部にフック受を設け、チェーンブロック９のフックを掛ける。チェーンブロック９の別のフックをワイヤ４に掛ける。チェーンブロック９を操作することにより、各壁構成部材５は持ち上げられる。
【符号の説明】
【００９５】
１  基台(箱)
２  支柱
３  ワイヤ吊手段
４  ワイヤ
５  壁構成部材
６  ウインチ
７  滑車
８  アウトリガ
９  チェーンブロック
１０  壁構成部材支持補助手段
１１  ヒンジ
１２  Ｃ型部材
１３  クリップ
１４  挿入孔
１６  ガイドローラ
１７  ガイドローラ
１８  ワイヤ保護用パイプ
２１  ヒンジ
２２  係合孔
２３  係合ピン
２４  棒受け
５１  山型フラット部
５２  風抜き孔
【図１】
2019203279.tif 000003
【図２】
2019203279.tif 000004
【図３】
2019203279.tif 000005
【図４】
2019203279.tif 000006
【図５】
2019203279.tif 000007
【図６】
2019203279.tif 000008
【図７】
2019203279.tif 000009
【図８】
2019203279.tif 000010
【図９】
2019203279.tif 000011
【図１０】
2019203279.tif 000012
【図１１】
2019203279.tif 000013
【図１２】
2019203279.tif 000014
【図１３】
2019203279.tif 000015